(57)【特許請求の範囲】
【請求項１】
設置面に埋設状態で設置可能に構成されたケーシングを備えると共に、
当該ケーシングの背面部側に、商用電力を供給する一の電源ケーブルを構成する一対の電源線が着脱自在に差し込み接続される一対の電源線接続口を備えた情報通信ユニットであって、
前記ケーシングの背面部の外周縁に、当該ケーシングの背面部側及び周側面部側に開放された開放部を有する一対の凹部が、間に隔壁部を介在させて当該隔壁部の幅に相当する一定の間隔を隔てた状態で夫々独立して形成されていると共に、
前記一対の電源線接続口の一方が、前記一対の凹部の一方に当該凹部の開放部に向けて露出開口する姿勢で配置され、前記一対の電源線接続口の他方が、前記一対の凹部の他方に当該凹部の開放部に向けて露出開口する姿勢で配置されている情報通信ユニット。
【請求項２】
前記電源線接続口が、前記凹部の背面部側の開放部に向けて露出開口する請求項１に記載の情報通信ユニット。
【請求項３】
前記凹部において、前記電源線接続口が、当該凹部内における一方側に偏倚して配置されている請求項１又は２に記載の情報通信ユニット。
【請求項４】
前記一対の凹部が、一側面側に開放された開放部を有する状態で並列配置されていると共に、当該一対の凹部の夫々において、前記電源線接続口が、当該凹部内における同方向側に偏倚して配置されている請求項３に記載の情報通信ユニット。
【請求項５】
前記一対の凹部の夫々において、前記電源線接続口における前記電源線の接続を解除する解除操作部が、前記凹部の内面に近接配置されている請求項１〜４の何れか１項に記載の情報通信ユニット。
【請求項６】
前記一対の凹部が、一側面側に開放された開放部を有する状態で並列配置され、
前記一対の凹部の間に介在する隔壁部が、前記一対の凹部の夫々に面する一対の内壁と、前記ケーシングの背面部及び周側面部に沿う状態で前記一対の内壁の間に亘らせて設けられた支持壁とからなる請求項１〜５の何れか１項に記載の情報通信ユニット。
【請求項７】
請求項１〜６の何れか１項に記載の情報通信ユニットを埋込状態で設置した情報コンセントであって、
前記電源線が、電源コンセントが着脱自在に接続され当該接続された電源コンセントに商用電力を供給する電源コンセント用ユニットから前記情報通信ユニットに延設されていると共に、
前記情報通信ユニットと前記電源コンセント用ユニットとが設置面に埋設状態で並設され、
前記情報通信ユニットにおいて、前記一対の凹部が、前記ケーシングの背面部の前記電源コンセント用ユニット側の外周縁に夫々形成されている情報コンセント。
【請求項８】
前記情報通信ユニットと前記電源コンセント用ユニットとの間に区画壁が介在されていると共に、
前記電源線が、前記電源コンセント用ユニットから、前記区画壁の一端部である迂回端部の外側を迂回して、前記情報通信ユニットに案内され、
前記情報通信ユニットにおいて、前記一対の凹部が、前記区画壁に対向する側の周側面部側に開放された開放部を有する状態で並列配置されていると共に、当該一対の凹部の夫々において、前記電源線接続口が、当該凹部内における前記区画壁の迂回端部側とは反対側に偏倚して配置されている請求項７に記載の情報コンセント。
【発明の詳細な説明】
【技術分野】
【０００１】
本発明は、設置面に埋設状態で設置可能に構成されたケーシングを備えると共に、当該ケーシングの背面部側に、商用電力を供給する一対の電源線が着脱自在に差し込み接続される一対の電源線接続口を備えた情報通信ユニット及びそれを設置した情報コンセントに関する。
【背景技術】
【０００２】
ノートパソコン、スマートフォン、タブレット端末のような情報通信端末を用いてＬＡＮ通信を行うために、無線ＬＡＮ用のアンテナや有線ＬＡＮ用のモジュラージャックを備えた情報通信ユニットが室内に設置される。かかる従来の情報通信ユニットとしては、装置の意匠性や設置箇所の美観などを損なわないように、そのケーシングをコンセント部などの設置面に埋設状態で設置可能なものが知られている（例えば特許文献１及び２を参照。）。
【０００３】
このような埋込型の情報通信ユニットとしては、ケーシングの背面部側に、商用電力を供給する一対の電源線が着脱自在に差し込み接続される電源線接続口を備えたものがある。このような構成を採用することにより、接続された電源線は設置面の後方側に収納されて室内側には露出しなくなるので、室内側からの美観が向上される。
【０００４】
また、このように背面部側に電源線が接続される情報通信ユニットを設置面に埋込設置する埋設設置工事では、先ず、ケーシングを設置面に形成された取付け口に挿入する前の段階で、当該取付け口から引き出された一対の電源線が、ケーシングの背面部側の一対の電源線接続口の夫々に差し込み接続される。次に、この状態で、ケーシングが取付け口に挿入されて固定されることで、当該情報通信ユニットの設置工事が完了する。
【先行技術文献】
【特許文献】
【０００５】
【特許文献１】特開２０１３−１５７７３８号公報
【特許文献２】特開２００７−１０３１３３号公報
【発明の概要】
【発明が解決しようとする課題】
【０００６】
上述のような背面部側に電源線が接続された情報通信ユニットの埋設設置工事においては、この背面部側に接続されている電源線がコンセントボックスなどのような設置面の後方側に存在する障害物に干渉することがある。そして、このような電源線の干渉が起こると、当該電源線が比較的硬質なため、工事が煩雑になったり、ケーシングや設置面側の部品等が干渉した電源線が押し付けられることで損傷するという問題が生じる。
【０００７】
この実情に鑑み、本発明の主たる課題は、設置面に埋設状態で設置可能に構成されたケーシングを備えると共に、当該ケーシングの背面部側に、商用電力を供給する一対の電源線が着脱自在に差し込み接続される一対の電源線接続口を備えた情報通信ユニットにおいて、設置面への埋設設置工事の際に、背面部側に接続された電源線と設置面の後方側に存在する障害物との干渉を抑制して、当該干渉に起因する埋設設置工事の煩雑化やケーシング等の損傷を防止することができる技術を提供する点にある。
【課題を解決するための手段】
【０００８】
本発明に係る情報通信ユニットの第１特徴構成は、
設置面に埋設状態で設置可能に構成されたケーシングを備えると共に、
当該ケーシングの背面部側に、商用電力を供給する一の電源ケーブルを構成する一対の電源線が着脱自在に差し込み接続される一対の電源線接続口を備えた情報通信ユニットであって、
前記ケーシングの背面部の外周縁に、当該ケーシングの背面部側及び周側面部側に開放された開放部を有する一対の凹部が、間に隔壁部を介在させて当該隔壁部の幅に相当する一定の間隔を隔てた状態で夫々独立して形成されていると共に、
前記一対の電源線接続口の一方が、前記一対の凹部の一方に当該凹部の開放部に向けて露出開口する姿勢で配置され、前記一対の電源線接続口の他方が、前記一対の凹部の他方に当該凹部の開放部に向けて露出開口する姿勢で配置されている点にある。
【０００９】
本特徴構成を有する情報通信ユニットによれば、一対の凹部が夫々独立して形成されているので、それら凹部の間に介在する隔壁部の端部が、ケーシングの背面部及び周側面部に対して略面一となる位置まで延出したものとなる。すると、情報通信ユニットの埋設設置工事において、背面部側の電源線接続口に差し込み接続された電源線が、設置面の後方側にある障害物に当接する場合でも、当該電源線がその当接により自動的に姿勢を変更しながら凹部の内面に沿って好適に案内されて、電源線と障害物との干渉が好適に抑制された状態となる。従って、このような電源線と障害物との干渉に起因する埋設設置工事の煩雑化を抑制すると共に、情報通信ユニット側のケーシングや設置面側の障害物となる部品の損傷を防止することができる。
【００１０】
特に、設置面に埋設された状態のケーシングの後方側に障害物が存在する場合には、ケーシングの背面部側の電源線接続口に差し込み接続された電源線は、その後方側の障害物に当接することで自動的に姿勢を変更しながら、隔壁部を含む凹部の内面に沿って好適に案内される。すると、この電源線は、ケーシングの背面部と後方側の障害物との隙間に噛み込むことなく好適に、凹部の周側面部側の開放部を通過する姿勢となる。このことで、電源線と後方側の障害物との干渉を好適に抑制することができる。
【００１１】
本発明に係る情報通信ユニットの第２特徴構成は、前記電源線接続口が、前記凹部の背面部側の開放部に向けて露出開口する点にある。
【００１２】
本特徴構成を有する情報通信ユニットによれば、情報通信ユニットを設置面に形成された取付け口に挿入するユニット挿入時よりも前の段階において、凹部の背面部側の開放部に向けて露出開口する電源線接続口に差し込み接続された電源線は、自然状態で、凹部の背面部側の開放部を通過する姿勢となる。よって、ユニット挿入時には、このように電源線が凹部の背面部側の開放部を通過する姿勢に維持されることで、この電源線と側方側にある取付け口の縁部との干渉を抑制することができる。
【００１３】
本発明に係る情報通信ユニットの第３特徴構成は、前記凹部において、前記電源線接続口が、当該凹部内における一方側に偏倚して配置されている点にある。
【００１４】
本特徴構成を有する情報通信ユニットによれば、凹部内において、一方側に偏倚して配置された電源線接続口に差し込み接続された電源線を、比較的余裕のある他方側に撓ませることができる。これにより、凹部の開放部から外方へ延出する電源線の姿勢を、ケーシングの外面にできるだけ近接させて沿わせたものとすることができ、その外面に近接対向する障害物が存在している場合でも、その障害物との間の隙間において電源線を無理がない姿勢で這わせることができる。
【００１５】
本発明に係る情報通信ユニットの第４特徴構成は、前記一対の凹部が、一側面側に開放された開放部を有する状態で並列配置されていると共に、当該一対の凹部の夫々において、前記電源線接続口が、当該凹部内における同方向側に偏倚して配置されている点にある。
【００１６】
本特徴構成を有する情報通信ユニットによれば、一側面部側に開放された開放部を有する状態で並列配置された一対の凹部の夫々において、夫々の電源線接続口が当該凹部内における同方向側に偏倚して配置されているので、夫々の開放部から外方へ延出する一対の電源線を、互いに略平行な姿勢とすることができる。よって、ケーシングの外面に近接対向する障害物が存在している場合でも、その障害物との間の隙間において一対の電源線を無理がない略同じ姿勢で這わせることができる。
【００１７】
本発明に係る情報通信ユニットの第５特徴構成は、前記一対の凹部の夫々において、前記電源線接続口における前記電源線の接続を解除する解除操作部が、前記凹部の内面に近接配置されている点にある。
【００１８】
本特徴構成を有する情報通信ユニットによれば、操作具で解除操作部を操作するにあたり、凹部に挿入した操作具を内面に添わせる状態でその動作を好適にガイドして、解除操作部の操作を簡単且つ確実に行うことができる。更に、この場合には、凹部において、電源線接続口を、凹部内において解除操作部が近接配置された内面側とは反対側に偏倚して配置することができる。これにより、上述した第３特徴構成を有する情報通信ユニットと同様に、凹部の開放部から外方へ延出する電源線を、ケーシングの外面にできるだけ近接させて沿わせた姿勢として、その外面に近接対向する障害物が存在している場合でも、その障害物との間の隙間において電源線を無理がない姿勢で這わせることができる。
【００１９】
本発明に係る情報通信ユニットの第６特徴構成は、前記一対の凹部が、一側面側に開放された開放部を有する状態で並列配置され、
前記一対の凹部の間に介在する隔壁部が、前記一対の凹部の夫々に面する一対の内壁と、前記ケーシングの背面部及び周側面部に沿う状態で前記一対の内壁の間に亘らせて設けられた支持壁とからなる点にある。
【００２０】
本特徴構成を有する情報通信ユニットによれば、一対の凹部の間に介在する隔壁部が、一対の凹部の夫々に面する一対の内壁に加えて、ケーシングの背面部及び周側面部に沿う状態でこれら両内壁間に亘らせて設けられた支持壁を備えて構成されているので、当該隔壁部を、一定の幅を有する上に高剛性に構成することができる。よって、一対の凹部が上記隔壁部の幅に相当する一定の間隔を隔てて配置されることになるので、それら一対の凹部において電源線接続口に差し込み接続された一対の電源線の干渉を抑制することができる。更に、これら一対の電源線が、凹部の内面に沿って案内されて姿勢を変更する際に、隔壁部に対してその比較的硬質の電源線が比較的強力に押し当てられた場合でも、その隔壁部の損傷を抑制することができる。
【００２１】
本発明に係る情報コンセントは、上記第１〜第６特徴構成の何れかを有する情報通信ユニットを埋込状態で設置した情報コンセントであって、
その特徴構成は、前記電源線が、電源コンセントが着脱自在に接続され当該接続された電源コンセントに商用電力を供給する電源コンセント用ユニットから前記情報通信ユニットに延設されていると共に、
前記情報通信ユニットと前記電源コンセント用ユニットとが設置面に埋設状態で並設され、
前記情報通信ユニットにおいて、前記一対の凹部が、前記ケーシングの背面部の前記電源コンセント用ユニット側の外周縁に夫々形成されている点にある。
【００２２】
本特徴構成を有する情報コンセントによれば、上述の本発明に係る情報通信ユニットの第１〜第６特徴構成と同様に、設置面への情報通信ユニットの埋設設置工事の際に、背面部側に接続された電源線と設置面側の障害物との干渉を抑制して、当該干渉に起因する埋設設置工事の煩雑化を抑制すると共に、当該干渉に起因する情報通信ユニット側のケーシングや設置面側の障害物となる部品の損傷を防止することができる。
【００２３】
更に、情報通信ユニットのケーシングの背面部において、一対の凹部が、当該情報通信ユニットと共に情報コンセントの設置面に埋設状態で並設された電源コンセント用ユニット側の縁部に夫々形成されているので、当該電源コンセント用ユニットから当該情報通信ユニットへ延設される電源線をできるだけ短くすることができる上に、その姿勢を無理のないものに維持することができる。
【００２４】
本発明に係る情報コンセントの更なる特徴構成は、前記情報通信ユニットと前記電源コンセント用ユニットとの間に区画壁が介在されていると共に、
前記電源線が、前記電源コンセント用ユニットから、前記区画壁の一端部である迂回端部の外側を迂回して、前記情報通信ユニットに案内され、
前記情報通信ユニットにおいて、前記一対の凹部が、前記区画壁に対向する側の周側面部側に開放された開放部を有する状態で並列配置されていると共に、当該一対の凹部の夫々において、前記電源線接続口が、当該凹部内における前記区画壁の迂回端部側とは反対側に偏倚して配置されている点にある。
【００２５】
本特徴構成を有する情報コンセントによれば、上述の情報通信ユニットの第３又は第４特徴構成と同様に、情報通信ユニットの一対の凹部の開放部から外方へ延出する一対の電源線を、ケーシングの外面にできるだけ近接させて沿わせた姿勢とすることができる上に、区画壁の迂回端部側に向けて互いに略平行な姿勢とすることができる。よって、情報通信ユニットと区画壁との間の隙間において一対の電源線を無理がない略同じ姿勢で区画壁の迂回端部まで這わせることができ、当該迂回端部の外側を迂回させた電源線を好適に電源コンセント用ユニットに接続することができる。
【図面の簡単な説明】
【００２６】
【図１】情報コンセントにて情報通信ユニットが設置された状態を示す正面図
【図２】情報コンセントにて情報通信ユニットが設置された状態を示す左側面図
【図３】情報コンセントにて情報通信ユニットが設置された状態を示す背面図
【図４】情報通信ユニットの正面図
【図５】情報通信ユニットの背面図
【図６】情報通信ユニットの左側面図
【図７】情報通信ユニットの右側面図
【図８】情報通信ユニットの平面図
【図９】情報通信ユニットの底面図
【図１０】情報通信ユニットの正面側斜視図
【図１１】情報通信ユニットの背面側斜視図
【図１２】別実施形態の情報通信ユニットの背面図
【図１３】別実施形態の情報通信ユニットの背面図
【発明を実施するための形態】
【００２７】
本発明に係る情報通信ユニットの実施形態について図面に基づいて説明する。
図１及び図３に示すように、コンセント１は、壁Ｗに貫通形成された矩形状（長方形状）の開口Ｗａの後方側に設置したコンセントボックス２と、壁Ｗの前方側に配置されたコンセント１の外表面を覆うコンセントカバー３とを、それらの間において壁Ｗの前面部に当接する金属製の取付枠５を介して固定することにより構成されている。
【００２８】
このコンセント１には、図１に示すように、本発明の情報通信ユニットＵ１を含めて２つのユニットが装備されている。
つまり、コンセント１の右方側には、有線ＬＡＮ用のモジュラージャックが挿入される有線ＬＡＮ用モジュラーアダプタ用の接続口１５、及び、電話回線用のモジュラージャックが挿入される電話回線用モジュラーアダプタ用の接続口１４を前面部１１側（即ち室内側）に備えた本発明の情報通信ユニットＵ１が設けられている。また、前面視（図１参照）においてコンセント１の左方側（背面視（図３参照）においてコンセント１の右方側）には、上下に２つの電源コンセント差込口を備えた電源コンセント用ユニットＵ２が設けられている。
【００２９】
コンセントボックス２には、図２及び図３に示すように、情報通信ユニットＵ１側の空間と電源コンセント用ユニットＵ２側の空間とを区画する区画壁２ａが設けられている。更に、このコンセントボックス２の上下には、上記区画壁２ａで区画された夫々の空間に対して、壁Ｗの後方側の空間に配線された電源ケーブル６１，６３、通信線の一例であるＷＡＮ側の通信ケーブル２２や電話ケーブル２５などを引き込むための挿入口２ｂ，２ｃが形成されている。
【００３０】
具体的に、情報通信ユニットＵ１側の空間では、図３に示すように、上側に形成された上側挿入口２ｂを介して、通信ケーブル２２や電話ケーブル２５が引き込まれ、下側に形成された下側挿入口２ｃを介して、商用電力を情報通信ユニットＵ１に供給するための一対の電源線６１ａ，６１ｂからなる電源ケーブル６１が引き込まれる。そして、詳細については後述するが、これら引き込まれたケーブル２２，２５，６１が情報通信ユニットＵ１に接続される。
【００３１】
一方、電源コンセント用ユニットＵ２側の空間では、図３に示すように、上側に形成された上側挿入口２ｂを介して、商用電力を電源コンセント用ユニットＵ２に供給するための一対の電源線６３ａ，６３ｂからなる電源ケーブル６３が引き込まれ、下側に形成された下側挿入口２ｃを介して、商用電力を情報通信ユニットＵ１に供給するための一対の電源線６１ａ，６１ｂからなる電源ケーブル６１が引き込まれる。
【００３２】
更に、電源コンセント用ユニットＵ２の背面部には、電源線を着脱自在に差し込み接続可能な一対の電源線接続口６２ａ，６２ｂからなる電源ケーブル接続部６２と、同じく電源線を着脱自在に差し込み接続可能な一対の電源線接続口６０ａ，６０ｂからなる電源ケーブル接続部６０とが、上下に配置されており、これらは前面部に設けられた電源コンセント差込口（図１参照）に夫々が電気的に導通している。更に、夫々の電源ケーブル接続部６０，６２との間において、電源線接続口６０ａと電源線接続口６２ａとが電気的に導通し、電源線接続口６０ｂと電源線接続口６２ｂとが電気的に導通している。
【００３３】
そして、上側挿入口２ｂを介して引き込まれた電源ケーブル６３が、電源コンセント用ユニットＵ２の背面部の上側に設けられた電源ケーブル接続部６２に接続され、一方、下側挿入口２ｃを介して引き込まれた電源ケーブル６１が、電源コンセント用ユニットＵ２の背面部の下側に設けられた電源ケーブル接続部６０に接続される。
即ち、電源ケーブル６１は、電源コンセント用ユニットＵ２から、コンセントボックス２の区画壁２ａの下端部である迂回端部２ａａの外側を迂回して、情報通信ユニットＵ１に案内されることになり、この電源ケーブル６３を介して、電源コンセント用ユニットＵ２に供給された商用電力が、電源ケーブル６１を介して情報通信ユニットＵ１に供給されることになる。
【００３４】
コンセントカバー３には、各ユニットＵ１，Ｕ２に対応した形状の取付け口４が左右に並んで互いに隣接して形成されており、各取付け口４を通して各ユニットＵ１，Ｕ２の前面部分が外部である室内に露出する形態で取付けられている。よって、このコンセントカバー３の前面部が、各ユニットＵ１，Ｕ２が埋設状態で設置される設置面Ｆに相当する。
【００３５】
コンセント１は、情報通信ユニットＵ１に加えて、その情報通信ユニットＵ１とは異なる機器ユニットとして、電源コンセント用ユニットＵ２が互いに隣接して設置面Ｆに埋設状態で設置された情報コンセントとして構成されている。尚、これらユニットＵ１，Ｕ２以外に、テレビアンテナ用の同軸ケーブルを接続する同軸ケーブル接続用ユニットやその他の機器ユニットを設置しても構わず、また、このような情報通信ユニットＵ１以外の機器ユニットを配置することなく、情報通信ユニットＵ１のみを単独で設置しても構わない。
【００３６】
以下、情報通信ユニットＵ１の構成について説明する。
情報通信ユニットＵ１は、図２及び図３等に示すように、コンセントカバー３の前面部に相当する設置面Ｆに埋設状態で設置可能に構成されたケーシング１０を備えると共に、当該ケーシング１０の背面部１８側には、商用電力を供給する一対の電源線６１ａ，６１ｂが着脱自在に差し込み接続される一対の電源線接続口５２ａ，５２ｂが設けられている。このように埋込側の情報通信ユニットＵ１において、ケーシング１０の背面部１８側に電源線接続口５２ａ，５２ｂが設けられているので、接続された電源線６１ａ，６１ｂは設置面Ｆの後方側に収納されて室内側には露出しなくなって、室内側からの美観が向上されている。
【００３７】
ケーシング１０は、設置面Ｆに対して直交する前後方向（壁Ｗの表裏方向）から互いに脱着自在に嵌合する前側分割ケーシング１０Ａと後側分割ケーシング１０Ｂとで二分割された合成樹脂製のケーシングである。尚、ケーシング１０の内部には、詳細な説明は割愛するが、各種アダプタやコネクタ以外に、無線ＬＡＮ用アンテナ、コンバータ、各種回路基板などが実装されている。
【００３８】
前側分割ケーシング１０Ａは、図２及び図１０等に示すように、前方側に面する前面部１１と、その前面部１１の外周縁側から後方側に延出する周側面部１２とを有する。更に、周側面部１２の後方側には、側方側に延出して設置面Ｆの後方側（具体的にはコンセントカバー３の後方側）に設けられた取付枠５に固定されるフランジ部１３が形成されている。そして、このフランジ部１３が取付枠５に固定された状態では、取付け口４に挿入された周側面部１２の前方側の一部が、設置面Ｆよりも前方側（室内側）に膨出する状態となる。
【００３９】
前側分割ケーシング１０Ａの周側面部１２は、上方側に面する天面部１２ｔと、下方側に面する底面部１２ｂと、両側方側に面する両側面部１２ｓとからなる。そして、電源スイッチ４０の操作部であるスライド式の電源操作部４０ａが、前側分割ケーシング１０Ａの底面部１２ｂに配置されている。
【００４０】
図４及び図１０等に示すように、前面部１１は、コンセントカバー３の前面部に沿って上下方向に延びる略長方形の帯状に形成されており、詳しくは、前方側への突出代が最も少ない偏平な上側前面部１１ａと、これの下端から前方下方側に向かって延びる傾斜姿勢の中間傾斜前面部１１ｂと、これの下端から下方に延びる最も突出代の大きな偏平な下側前面部１１ｃとからなる。
【００４１】
この前面部１１の上側前面部１１ａには、電話回線用モジュラープラグが脱着自在に接続される電話回線用モジュラーアダプタの接続口１４が設けられている。更に、この上側前面部１１ａには、情報通信ユニットＵ１の電源の投入状態を示す電源インジケータや、ルーティング機能（有線ＬＡＮや無線ＬＡＮを利用した情報通信機能）の利用可能状態を示すＬＡＮインジケータやネットワークのアクセス状態を示すアクセスインジケータなどの表示ランプ部１６と、ケーシング１０内のリセットスイッチを爪楊枝等の細い棒状の操作具でリセット操作するためのリセットボタン部１７などが設けられている。一方、前面部１１の下側前面部１１ｃには、ＬＡＮ用モジュラーアダプタが脱着自在に接続されるＬＡＮ用モジュラーアダプタの接続口１５が設けられている。
【００４２】
後側分割ケーシング１０Ｂは、図２，図３及び図１１等に示すように、後方に面する背面部１８と、その背面部１８の外周縁側から前方に延出する周側面部１９とを有し、この周側面部１９の前方側に、前側分割ケーシング１０Ａが組み付けられる。
【００４３】
後側分割ケーシング１０Ｂの周側面部１９は、上方側に面する天面部１９ｔと、下方側に面する底面部１９ｂと、背面視（図３参照）で右方側（即ち、電源コンセント用ユニットＵ２側）に面する右側面部１９ｓａと、背面視（図３参照）で左方側に面する左側面部１９ｓｂとからなる。背面部１８と天面部１９ｔとの境界部には、ＷＡＮ側の通信ケーブル２２のモジュラージャック２１が脱着自在に接続されるＷＡＮ用モジュラーアダプタ２０が、その接続口を斜め上方に向けて露出開口させた姿勢で装備され、また、６極２芯の電話ケーブル２５の二本の芯線が脱着自在に差し込み接続される通信回線接続口２３が、それらの接続口を後側分割ケーシング１０Ｂの背面部１８と天面部１９ｔとの境界部に形成された段部において上方に向けて露出開口させた姿勢で装備されている。
【００４４】
更に、後側分割ケーシング１０Ｂの背面部１８の外周縁には、商用電力を供給する一対の電源線６１ａ，６１ｂが着脱自在に差し込み接続される一対の電源線接続口５２ａ，５２ｂを有する電源線接続用アダプタが、それらの電源線接続口５２ａ，５２ｂを後方に向けて露出開口させた姿勢で装備されている。
【００４５】
このような情報通信ユニットＵ１を設置面Ｆに埋設設置する埋設設置工事において、背面部１８側の電源線接続口５２ａ，５２ｂに差し込み接続された電源線６１ａ，６１ｂが比較的硬質のものであるため、その電源線６１ａ，６１ｂが設置面Ｆの後方側にある部品等の障害物に干渉する場合がある。そして、この干渉により、情報通信ユニットＵ１の設置面Ｆへの設置工事が煩雑になったり、ケーシング１０や設置面Ｆ側の部品等に干渉した電源線６１ａ，６１ｂが押し付けられることで損傷することが懸念される。
【００４６】
そこで、本実施形態の情報通信ユニットＵ１及びコンセント１では、情報通信ユニットＵ１の埋設設置工事の際に、背面部１８側の電源線接続口５２ａ，５２ｂに差し込み接続された電源線６１ａ，６１ｂと設置面Ｆの後方側に存在する障害物との干渉を抑制して、当該干渉に起因する埋設設置工事の煩雑化やケーシング１０等の損傷を防止するための特徴構成を有しており、その詳細について以下に説明を加える。
【００４７】
図３、図５、及び図１１等に示すように、情報通信ユニットＵ１のケーシング１０の背面部１８の外周縁に、当該ケーシング１０の背面部１８側及びその背面部側から前方に延出する周側面部１９側に開放された開放部を有する一対の凹部５１ａ，５１ｂが夫々独立して形成されている。この一対の凹部５１ａ，５１ｂは、後側分割ケーシング１０Ｂの背面部１８の電源コンセント用ユニットＵ２側の縁部に設けられており、具体的には、当該後側分割ケーシング１０Ｂの背面部１８側及び電源コンセント用ユニットＵ２側の周側面部１９である右側面部１９ｓａに開放された状態で並列配置されている。
【００４８】
そして、商用電力を供給する一対の電源線６１ａ，６１ｂが着脱自在に差し込み接続される一対の電源線接続口５２ａ，５２ｂが、上記凹部５１ａ，５１ｂの開放部、具体的には背面部１８側の開放部に向けて露出開口する姿勢で、一対の凹部５１ａ，５１ｂに夫々配置されている。このことで、情報通信ユニットＵ１を設置面Ｆに形成された取付け口４に挿入するユニット挿入時よりも前の段階では、電源線接続口５２ａ，５２ｂに差し込み接続された電源線６１ａ，６１ｂは、自然状態で、凹部５１ａ，５１ｂの背面部１８側の開放部を通過する姿勢となる。よって、ユニット挿入時には、このように電源線６１ａ，６１ｂが凹部５１ａ，５１ｂの背面部１８側の開放部を通過する姿勢に維持されることで、電源線６１ａ，６１ｂとその側方側にある取付け口４の縁部との干渉が抑制されることになる。
【００４９】
上記のように一対の凹部５１ａ，５１ｂが夫々独立して形成されていることにより、それらの間に介在する隔壁部５４の端部は、ケーシングの背面部１８及び周側面部１９に対して略面一となる位置まで延出したものとなる。すると、情報通信ユニットＵ１の埋設設置工事において、背面部１８側の電源線接続口５２ａ，５２ｂに差し込み接続された電源線６１ａ，６１ｂが、設置面Ｆの後方側にある障害物、具体的にはコンセントボックス２の壁面に当接する場合でも、電源線６１ａ，６１ｂがその当接により自動的に姿勢を変更しながら隔壁部５４を含む凹部５１ａ，５１ｂの内面に沿って好適に案内されて、電源線６１ａ，６１ｂと障害物との干渉が好適に抑制された状態となる。
【００５０】
特に、設置面に埋設された状態のケーシング１０の後方側には、コンセントボックス２の背面壁部が障害物として存在し、情報通信ユニットＵ１を設置面Ｆに形成された取付け口４に挿入するユニット挿入時において、背面部１８側の電源線接続口５２ａ，５２ｂに差し込み接続された電源線６１ａ，６１ｂが、そのコンセントボックス２の背面壁部に干渉することが懸念される。しかしながら、電源線６１ａ，６１ｂは、そのコンセントボックス２の背面壁部に当接することで自動的に姿勢を変更しながら、凹部５１ａ，５１ｂの内面に沿って好適に案内される。すると、図３に示すように、このように案内された電源線６１ａ，６１ｂは、ケーシング１０の背面部１８とコンセントボックス２の背面壁部との隙間に噛み込むことなく好適に、凹部５１ａ，５１ｂの右側面部１９ｓａ側の開放部を通過する姿勢となる。このことで、電源線６１ａ，６１ｂとコンセントボックス２の背面壁部との干渉が好適に抑制されることになる。
【００５１】
更に、これら凹部５１ａ，５１ｂの間に介在する隔壁部５４が、一対の凹部５１ａ，５１ｂの夫々に面する一対の内壁５４ａと、ケーシング１０の背面部１８及び周側面部１９に沿う状態で両内壁５４ａ間に亘らせて設けられた支持壁５４ｂ，５４ｃとから構成されている。具体的に、これら一対の内壁５４ａは、一定の間隔を隔てて互いに平行に配置された壁部として構成されており、一方、支持壁５４ｂ，５４ｃは、後側分割ケーシング１０Ｂの背面部１８に沿ってこれら内壁５４ａ間に亘らせて設けられた背面側支持壁５４ｂと、後側分割ケーシング１０Ｂの右側面部１９ｓａに沿ってこれら内壁５４ａ間に亘らせて設けられた右側面側支持壁５４ｃとからなる。
【００５２】
このように、隔壁部５４は、互いに平行に配置された一対の内壁５４ａとこれら内壁５４ａ間に亘らせて設けられた支持壁５４ｂ，５４ｃとからなる所謂ボックス状に構成されることで、一定の幅を有する上に高剛性に構成されることになる。このことで、この隔壁部５４を挟んで並設された一対の凹部５１ａ，５１ｂが、上記隔壁部５４の幅に相当する一定の間隔を隔てて配置されることになって、それら一対の凹部５１ａ，５１ｂにおいて電源線接続口５２ａ，５２ｂに差し込み接続された一対の電源線６１ａ，６１ｂの干渉が抑制されることになる。更に、これら一対の電源線６１ａ，６１ｂが、凹部５１ａ，５１ｂの内面に沿って案内されて姿勢を変更する際に、隔壁部５４に対してその比較的硬質の電源線６１ａ，６１ｂが比較的強力に押し当てられた場合でも、その隔壁部５４の損傷が抑制されることになる。
【００５３】
一対の凹部５１ａ，５１ｂの夫々において、電源線接続口５２ａ，５２ｂは、凹部５１ａ，５１ｂ内における一方側に偏倚して配置されている。更には、右側面部１９ｓａに開放された状態で並列配置された一対の凹部５１ａ，５１ｂの夫々において、電源線接続口５２ａ，５２ｂは、当該凹部５１ａ，５１ｂ内における上方側に偏倚して配置されている。
【００５４】
凹部５１ａ，５１ｂ内において、このように電源線接続口５２ａ，５２ｂが偏倚配置されているので、図３に示すように、上方側に偏倚して配置された電源線接続口５２ａ，５２ｂに差し込み接続された電源線６１ａ，６１ｂを、比較的余裕のある下方側に撓ませることができるようになる。これにより、凹部５１ａ，５１ｂの右側面部１９ｓａ側の開放部から外方へ延出する電源線６１ａ，６１ｂの姿勢を、後側分割ケーシング１０Ｂの右側面部１９ｓａにできるだけ近接させて沿わせることができる。
【００５５】
更には、一対の凹部５１ａ，５１ｂの夫々において、夫々の電源線接続口５２ａ，５２ｂが共に同じ上方側に偏倚配置されているので、図３に示すように、夫々の凹部５１ａ，５１ｂの右側面部１９ｓａ側の開放部から外方へ延出する一対の電源線６１ａ，６１ｂは、互いに略平行な姿勢となる。このことで、コンセントボックス２の区画壁２ａなどのように右側面部１９ｓａに近接対向する障害物が存在している場合でも、その区画壁２ａとの間の隙間において一対の電源線６１ａ，６１ｂを、無理がない略同じ姿勢で這わせることができる。
【００５６】
また、一対の凹部５１ａ，５１ｂの夫々における電源線接続口５２ａ，５２ｂの偏倚方向が、コンセントボックス２の区画壁２ａにおいて電源ケーブル６１が迂回する下端部側の迂回端部２ａａに対して反対側の方向となる。このことで、一対の凹部５１ａ，５１ｂの右側面部１９ｓａ側の開放部から外方へ延出する一対の電源線６１ａ，６１ｂは、上述のように無理がない略同じ姿勢でコンセントボックス２の下側挿入口２ｃを通過して、区画壁２ａの迂回端部２ａａの外側を迂回することができる。
【００５７】
更に、一対の凹部５１ａ，５１ｂの夫々において、上述した電源線接続口５２ａ，５２ｂに加えて、背面側からの押圧操作により当該電源線接続口５２ａ，５２ｂにおける電源線６１ａ，６１ｂの接続を解除する解除操作釦５３ａ，５３ｂ（解除操作部の一例）が配置されている。そして、この解除操作釦５３ａ，５３ｂが、凹部５１ａ，５１ｂの下方側の内面に近接配置されており、これにより、マイナスドライバなどの操作具で解除操作釦５３ａ，５３ｂを押圧操作するにあたり、凹部５１ａ，５１ｂに挿入した操作具が凹部５１ａ，５１ｂの下方側の内面に添う状態で、その動作が好適にガイドされることになる。
【００５８】
〔別実施形態〕
（１）上記実施形態では、後側分割ケーシング１０Ｂの背面部１８の外周縁において、一対の凹部５１ａ，５１ｂを、後側分割ケーシング１０Ｂの周側面部における電源コンセント用ユニットＵ２側の一側面である右側面部１９ｓａに並列配置したが、別の周側面に配置しても構わない。
【００５９】
例えば、図１２に示すように、一方の凹部１０１ａ，１０１ｂを、後側分割ケーシング１０Ｂの右側面部１９ｓａ側及び左側面部１９ｓｂ側に分配して配置しても構わない。即ち、これら一方の凹部１０１ａ，１０１ｂのうち、一方の凹部１０１ａは、後側分割ケーシング１０Ｂの背面部１８側及び右側面部１９ｓａ側に開放された凹部として構成されると共に、他方の凹部１０１ｂは、後側分割ケーシング１０Ｂの背面部１８側及び左側面部１９ｓｂ側に開放された凹部として構成される。そして、これら夫々の凹部１０１ａ，１０１ｂに、電源線接続口１０２ａ，１０２ｂ及び解除操作釦１０３ａ，１０３ｂが設けられることになる。このように構成すれば、一対の電源線６１ａ，６１ｂの夫々を大きく隔離させて、夫々の電源線接続口１０２ａ，１０２ｂに接続して、当該一対の電源線６１ａ，６１ｂの干渉を一層抑制することができる。
【００６０】
更に、図１３に示すように、一対の凹部２０１ａ，２０１ｂを、後側分割ケーシング１０Ｂの右側面部１９ｓａの下方角部側及び左側面部１９ｓｂの下方角部側に分配して配置しても構わない。即ち、これら一方の凹部２０１ａ，２０１ｂのうち、一方の凹部２０１ａは、後側分割ケーシング１０Ｂの背面部１８側，右側面部１９ｓａ側、及び、底面部１９ｂ側に開放された凹部として構成されると共に、他方の凹部２０１ｂは、後側分割ケーシング１０Ｂの背面部１８側、左側面部１９ｓｂ側、及び、底面部１９ｂ側に開放された凹部として構成される。そして、これら夫々の凹部２０１ａ，２０１ｂに、電源線接続口２０２ａ，２０２ｂ及び解除操作釦２０３ａ，２０３ｂが設けられることになる。このように構成すれば、上述の構成と同様に、当該一対の電源線６１ａ，６１ｂの干渉を一層抑制することができる上に、電源線６１ａ，６１ｂは、凹部２０１ａ，２０１ｂの底面部１９ｂ側の開放部を通過する姿勢に維持されて、一層無理がない姿勢でコンセントボックス２の下側挿入口２ｃを通過して、区画壁２ａの迂回端部２ａａの外側を迂回することができる。
【００６１】
（２）上記実施形態では、後側分割ケーシング１０Ｂの背面部１８の外周縁に配置された一対の凹部５１ａ，５１ｂの夫々において、電源線接続口５２ａ，５２ｂを、凹部５１ａ，５１ｂの開放部の一方である背面部１８側の開放部に向けて露出開口する姿勢で配置したが、別に、電源線接続口５２ａ，５２ｂを、凹部５１ａ，５１ｂの開放部の他方である周側面部１９側の開放部に向けて露出開口する姿勢で配置しても構わない。
【００６２】
（３）上記実施形態では、一対の凹部５１ａ，５１ｂにおいて、電源線接続口５２ａ，５２ｂを、当該凹部５１ａ，５１ｂ内における一方側に偏倚するように配置したり、解除操作釦５３ａ，５３ｂを、凹部５１ａ，５１ｂの内面に近接するように配置したが、別に、凹部５１ａ，５１ｂ内における電源線接続口５２ａ，５２ｂや解除操作釦５３ａ，５３ｂの配置は、本実施形態の状態に限らず適宜変更可能である。
【００６３】
（４）上記実施形態では、一対の凹部５１ａ，５１ｂの間に介在する隔壁部５４を、一対の凹部５１ａ，５１ｂの夫々に面し一定の間隔を隔てて互いに平行に配置された一対の内壁５４ａと、後側分割ケーシング１０Ｂの背面部１８に沿ってこれら内壁５４ａ間に亘らせて設けられた背面側支持壁５４ｂと、後側分割ケーシング１０Ｂの右側面部１９ｓａに沿ってこれら内壁５４ａ間に亘らせて設けられた右側面側支持壁５４ｃとから構成したが、例えば、隔壁部５４を中実の部材で構成するなどのように、この隔壁部５４の構成は適宜改変可能である。
【００６４】
（５）上記実施形態では、情報通信ユニットＵ１を、有線ＬＡＮ用モジュラーアダプタ用及び電話回線用モジュラーアダプタ用の接続口１４，１５を備えたタイプとして構成したが、別に、これら接続口１４，１５を備えずに、無線ＬＡＮ用アンテナによる無線ＬＡＮ通信のみを行うタイプとして構成しても構わない。
【符号の説明】
【００６５】
１        コンセント
２ａ      区画壁
２ａａ    迂回端部
１０      ケーシング
１０Ａ    前側分割ケーシング（ケーシング）
１０Ｂ    後側分割ケーシング（ケーシング）
１８      背面部
１９      周側面部
１９ｂ    底面部（周側面部）
１９ｓａ  右側面部（周側面部）
１９ｓｂ  左側面部（周側面部）
１９ｔ    天面部（周側面部）
５１ａ    凹部
５１ｂ    凹部
５２ａ    電源線接続口
５２ｂ    電源線接続口
５３ａ    解除操作釦（解除操作部）
５３ｂ    解除操作釦（解除操作部）
５４      隔壁部
５４ａ    内壁
５４ｂ    背面側支持壁（支持壁）
５４ｃ    右側面側支持壁（支持壁）
６１ａ    電源線
６１ｂ    電源線
１０１ａ  凹部
１０１ｂ  凹部
１０２ａ  電源線接続口
１０２ｂ  電源線接続口
１０３ａ  解除操作釦（解除操作部）
１０３ｂ  解除操作釦（解除操作部）
２０１ａ  凹部
２０１ｂ  凹部
２０２ａ  電源線接続口
２０２ｂ  電源線接続口
２０３ａ  解除操作釦（解除操作部）
２０３ｂ  解除操作釦（解除操作部）
Ｆ        設置面
Ｕ１      情報通信ユニット
Ｕ２      電源コンセント用ユニット
【要約】
【課題】設置面に埋設状態で設置可能に構成されたケーシングを備えると共に、当該ケーシングの背面部側に、商用電力を供給する一対の電源線が着脱自在に差し込み接続される一対の電源線接続口を備えた情報通信ユニットにおいて、設置面への埋設設置工事の際に、背面部側に接続された電源線と設置面の後方側に存在する障害物との干渉を抑制して、当該干渉に起因する埋設設置工事の煩雑化やケーシング等の損傷を防止することができる技術を提供する。
【解決手段】ケーシング１０の背面部１８の外周縁に、ケーシング１０の背面部１８側及び周側面部１９側に開放された開放部を有する一対の凹部５１ａ，５１ｂが夫々独立して形成されていると共に、一対の電源線接続口５２ａ，５２ｂが、凹部５１ａ，５１ｂの開放部に向けて露出開口する姿勢で、一対の凹部５１ａ，５１ｂに夫々配置されている。
【選択図】図３【図１】
0005840315.tif 000002
【図２】
0005840315.tif 000003
【図３】
0005840315.tif 000004
【図４】
0005840315.tif 000005
【図５】
0005840315.tif 000006
【図６】
0005840315.tif 000007
【図７】
0005840315.tif 000008
【図８】
0005840315.tif 000009
【図９】
0005840315.tif 000010
【図１０】
0005840315.tif 000011
【図１１】
0005840315.tif 000012
【図１２】
0005840315.tif 000013
【図１３】
0005840315.tif 000014